【手続補正書】
【提出日】平成22年2月15日(2010.2.15)
【手続補正１】
【補正対象書類名】特許請求の範囲
【補正対象項目名】全文
【補正方法】変更
【補正の内容】
【特許請求の範囲】
【請求項１】
通信チャネルを介して、データの第１のフレームを送信し、データの第２のフレームを受信するポートを備え、
前記ポートは、
前記第１のフレームと前記第２のフレームとの、前記通信チャネル上におけるコリジョンを検出するコリジョン検出回路と、
オートネゴシエーションを利用することなく通信チャネルが確立され、前記ポートがハーフデュプレックスモードであり、前記コリジョン検出回路が、前記第１のフレームの１つに関わるベリーレートコリジョン（very late collision）を検出する場合、デュプレックス不整合を宣言するデュプレックス不整合回路と、を有し、
前記ベリーレートコリジョンは、前記第１のフレームの前記１つにおいて、所定のデータ量が送信された後に起こり、
前記デュプレックス不整合は、前記第２のフレームに対してフルデュプレックスモードが利用されることを示す、装置。
【請求項２】
前記所定のデータ量は、前記通信チャネルのコリジョンドメインのサイズにより選択される、請求項１に記載の装置。
【請求項３】
前記所定のデータ量は、前記通信チャネルのコリジョンドメインのサイズの倍数により選択される、請求項１に記載の装置。
【請求項４】
前記デュプレックス不整合回路は、メモリ回路にフラグを設定する、あるいはメッセージを送信する、あるいはその両方を含む少なくとも１つのアクションを行うことで、前記デュプレックス不整合を宣言する、請求項１に記載の装置。
【請求項５】
前記ポートは、前記デュプレックス不整合回路が前記デュプレックス不整合を宣言する場合に、前記ポートを前記ハーフデュプレックスモードから前記フルデュプレックスモードに切り替えるデュプレックスモード回路をさらに含む、請求項１に記載の装置。
【請求項６】
請求項１に記載の装置を含み、
ＩＥＥＥ標準８０２．３、８０２．１１、８０２．１１ａ、８０２．１１ｂ、８０２．１１ｇ、８０２．１１ｎ、８０２．１６、および８０２．２０を含む複数の標準のうちの少なくとも１つに準拠している、ネットワークデバイス。
【請求項７】
請求項１に記載の装置を含み、
スイッチ、ルータ、およびネットワークインタフェースコントローラのうちいずれかを含む、ネットワークデバイス。
【請求項８】
ネットワークドライブのポートにおいて、通信チャネルを介して、データの第１のフレームを送信し、データの第２のフレームを受信することと、
前記第１のフレームと前記第２のフレームとの、前記通信チャネル上におけるコリジョンを検出することと、
オートネゴシエーションを利用することなく通信チャネルが確立され、前記ポートがハーフデュプレックスモードであり、前記第１のフレームの１つに関わるベリーレートコリジョンを検出する場合、デュプレックス不整合を宣言することと、を備え、
前記ベリーレートコリジョンは、前記第１のフレームの前記１つにおいて、所定のデータ量が送信された後に起こり、
前記デュプレックス不整合は、前記第２のフレームに対してフルデュプレックスモードが利用されることを示す、方法。
【請求項９】
前記所定のデータ量は、前記通信チャネルのコリジョンドメインのサイズにより選択される、請求項８に記載の方法。
【請求項１０】
前記所定のデータ量は、前記通信チャネルのコリジョンドメインのサイズの倍数により選択される、請求項８に記載の方法。
【請求項１１】
前記デュプレックス不整合を宣言することは、
メモリ回路にフラグを設定すること、およびメッセージを送信すること、のうち少なくともいずれかを行うことを含む、請求項８に記載の方法。
【請求項１２】
前記デュプレックス不整合が宣言された後で、前記第１のフレームを前記フルデュプレックスモードで送信することをさらに備える、請求項８に記載の方法。
【請求項１３】
通信チャネルを介して、データの第１のフレームをフルデュプレックスモードで送信し、前記データの第２のフレームを受信する少なくとも１つのポートを備え、
前記少なくとも１つのポートは、
前記データの前記第２のフレームから巡回冗長検査（ＣＲＣ）エラーを検出するＣＲＣエラー検出回路、および前記データの前記第２のフレームのフラグメントを検出するフラグメント検出回路、のいずれかあるいは両方、並びに
ａ）前記少なくとも１つのポートが前記データの前記第１のフレームの１つを送信しているときに、前記ＣＲＣエラー検出回路が、前記データの前記第２のフレームの１つからＣＲＣエラーを検出する場合、あるいは、ｂ）前記フラグメント検出回路が、前記データの前記第２のフレームの１つからのフラグメントを検出する場合、あるいはその両方の場合に、デュプレックス不整合を宣言するデュプレックス不整合回路を有し、
前記デュプレックス不整合は、前記データの前記第２のフレームに対してハーフデュプレックスモードが利用されることを示す、装置。
【請求項１４】
前記デュプレックス不整合回路は、メモリ回路にフラグを設定するあるいはメッセージを送信する、あるいはその両方を含む少なくとも１つのアクションを行うことで、前記デュプレックス不整合を宣言する、請求項１３に記載の装置。
【請求項１５】
前記ポートは、前記デュプレックス不整合回路が前記デュプレックス不整合を宣言する場合に、前記ポートをフルデュプレックスモードからハーフデュプレックスモードに切り替えるデュプレックスモード回路をさらに含む、請求項１３に記載の装置。
【請求項１６】
前記少なくとも１つのポートはコリジョン強制回路をさらに含み、
前記コリジョン強制回路は、前記デュプレックス不整合回路によるデュプレックス不整合の宣言に応じて前記データの前記第２のフレームの１つにおけるデータの所定の量を受信した後で、前記データの前記第２のフレームの前記１つを受信する間、前記データの前記第１のフレームの１つを前記少なくとも１つのポートから送信させる、請求項１３に記載の装置。
【請求項１７】
前記少なくとも１つのポートはデュプレックスモード回路をさらに含み、
前記デュプレックスモード回路は、前記コリジョン強制回路が前記データの前記第１のフレームの前記１つを前記少なくとも１つのポートに送信させた後で、前記デュプレックス不整合回路がデュプレックス不整合を宣言する場合、前記少なくとも１つのポートを前記フルデュプレックスモードから前記ハーフデュプレックスモードに切り替える、請求項１６に記載の装置。
【請求項１８】
請求項１３に記載の装置を含み、
ＩＥＥＥ標準８０２．３、８０２．１１、８０２．１１ａ、８０２．１１ｂ、８０２．１１ｇ、８０２．１１ｎ、８０２．１６、および８０２．２０を含む複数の標準のうちの少なくとも１つに準拠している、ネットワークデバイス。
【請求項１９】
請求項１３に記載の装置を含み、
スイッチ、ルータ、およびネットワークインタフェースコントローラのうちいずれかを含む、ネットワークデバイス。
【請求項２０】
通信チャネルを介して、データの第１のフレームをフルデュプレックスモードで送信し、前記データの第２のフレームを受信することと、
ａ）前記データの前記第１のフレームの１つを送信しているときに前記データの前記第２のフレームの１つからＣＲＣエラーを検出する場合、あるいは、ｂ）前記データの前記第２のフレームの１つからのフラグメントを検出する場合、あるいはその両方の場合に、デュプレックス不整合を宣言することと、を備え、
前記デュプレックス不整合は、前記データの前記第２のフレームに対してハーフデュプレックスモードが利用されることを示す、方法。
【請求項２１】
前記デュプレックス不整合を宣言することは、
メモリ回路にフラグを設定すること、およびメッセージを送信すること、を含む複数のアクションのうちの少なくとも１つを行うことを含む、請求項２０に記載の方法。
【請求項２２】
前記デュプレックス不整合が宣言された後で、前記第１のフレームを前記フルデュプレックスモードで送信することをさらに備える、請求項２０に記載の方法。
【請求項２３】
前記デュプレックス不整合が宣言された後で前記データの前記第２のフレームの１つの前記データの所定の量を受信した後で、前記データの前記第２のフレームの１つを受信する間、前記データの前記第１のフレームの１つを送信することをさらに備える、請求項２０に記載の方法。
【請求項２４】
前記第１のフレームの前記１つを送信した後で前記デュプレックス不整合が宣言される場合、前記第１のフレームを前記フルデュプレックスモードで送信することをさらに備える、請求項２３に記載の方法。